(57)【要約】【課題】入賞部材の形状等を効率よく成形することが可能な弾球遊技機を提供する。【解決手段】入賞部材１１は外面５１と該入賞部材１１の内側であって遊技球Ｐ等が所定方向に誘導される誘導領域５３を形成する内面５２とを有する樋形成部材５０を含み、誘導領域５３は、遊技球Ｐを第一誘導方向Ｙに向けて誘導する第一誘導通路５４と、第二誘導方向Ｘに遊技球を誘導する第二誘導通路５５と、第一誘導通路５４を通過した遊技球Ｐ１を第三誘導方向Ｚに向けて誘導した後に第二誘導通路５５に向けて誘導する遊技球誘導部５６とを備え、遊技球誘導部５６には遊技球当接面が設けられており、入賞部材１１の外面５１には凹凸形状の装飾部材５８が形成されると共に遊技球当接面と所定の厚みを隔てて設けられる装飾面が装飾部材５８の凹部の少なくとも一部を形成する。【選択図】図４
2006061342.tif 000002
【特許請求の範囲】
【請求項１】
遊技球が流下可能な遊技領域が形成された遊技盤と、
前記遊技領域を流下する遊技球が入球可能であると共に遊技球が入球することに起因して遊技者に特典を付与する入賞部材とを備えた弾球遊技機において、
前記入賞部材は該入賞部材の外側を形成する外面と該入賞部材の内側であって遊技球が所定方向に誘導される誘導領域を形成する内面とを有する樋形成部材を含み、
前記誘導領域は、前記入賞部材に入球した遊技球を第一誘導方向に向けて誘導する第一誘導通路と、該第一誘導方向と略直角な方向である第二誘導方向に向けて遊技球を誘導する第二誘導通路と、前記第一誘導通路と前記第二誘導通路との間に形成されて該第一誘導通路を通過した遊技球を前記第一誘導方向及び前記第二誘導方向とは異なる第三誘導方向に向けて誘導した後に前記第二誘導通路に向けて誘導する遊技球誘導部とを備え、
前記遊技球誘導部には前記誘導領域を通過する遊技球が当接すると共に前記入賞部材の内面の一部のみが前記第三誘導方向に傾斜するようにした遊技球当接面が設けられており、
前記入賞部材の外面には凹凸形状の装飾部材が形成されると共に前記遊技球当接面と所定の厚みを隔てて設けられる装飾面が該装飾部材の凹部の少なくとも一部を形成することを特徴とする弾球遊技機。
【請求項２】
前記第一誘導方向は、遊技球が前記遊技領域を流下する方向であることを特徴とする請求項１に記載の弾球遊技機。
【請求項３】
前記第三誘導方向は、前記第一誘導方向となす角度が該第一誘導方向と前記第二誘導方向とがなす角度よりも大きな鈍角をなす方向であることを特徴とする請求項１又は２に記載の弾球遊技機。
【請求項４】
前記遊技球誘導部は、前記遊技球当接面と前記装飾面とが平行となるように前記所定の厚みを構成したことを特徴とする請求項１ないし３のいずれか１項に記載の弾球遊技機。
【請求項５】
前記誘導領域には、前記遊技球誘導部の遊技球当接面とは異なる面と前記入賞部材の内面とによって構成されると共に前記誘導領域のうち遊技球が通過しない遊技球非通過領域が設けられ、該遊技球非通過領域には遊技球が当接することがない第二装飾部材が配設されたことを特徴とする請求項１ないし４のいずれか１項に記載の弾球遊技機。
【請求項６】
前記第二装飾部材は前記入賞部材の内面と連接する第一形成面と前記装飾部材の凹部の一部を形成する第二形成面とによって構成されており、該第二形成面と前記装飾面とが連接することを特徴とする請求項５に記載の弾球遊技機。
【請求項７】
前記装飾面の下方に少なくとも該装飾面を照射する発光部材を設けたことを特徴とする請求項１ないし６のいずれか１項に記載の弾球遊技機。
【請求項８】
前記発光部材は前記装飾面及び前記第二装飾部材を介して前記誘導領域を照射することを特徴とする請求項７に記載の弾球遊技機。
【発明の詳細な説明】
【技術分野】
【０００１】
この発明は、パチンコ遊技機等の弾球遊技機に関する。
【背景技術】
【０００２】
従来のパチンコ遊技機等の弾球遊技機は、遊技球が流下可能な遊技領域が形成された遊技盤と、該遊技領域を流下する遊技球が入球可能であると共に遊技球が入球することに起因して遊技者に特典を付与する入賞装置（入賞部材）とを備えている。
【０００３】
この入賞部材は、入賞口と連通した遊技球通路部を有している。遊技球通路部は、入球した遊技球の進路を変更させる遊技球誘導部を有するものがある。この遊技球誘導部は、前記入賞口から下方に延びた遊技球通路部が遊技機裏面側に向けて曲げられて形成され、遊技球を遊技機裏面側へ誘導するものがある。さらに、入賞部材に設けられた前飾りの表面形状を、曲面等の変化を持たせて浮き彫りのような立体形状にすることもあった（特許文献１参照。）。
【０００４】
しかるに、従来の弾球遊技機は、入賞部材の内面の遊技球誘導部の形状がその遊技球誘導部に対する外面の形状に利用されておらず、入賞部材の形状等を効率よく成形することができるものではなかった。
【特許文献１】特開２００３−２４５４４号公報
【発明の開示】
【発明が解決しようとする課題】
【０００５】
この発明は、このような状況に鑑み提案されたもので、入賞部材の形状等を効率よく成形することが可能な弾球遊技機を提供する。
【課題を解決するための手段】
【０００６】
すなわち、請求項１の発明は、遊技球が流下可能な遊技領域が形成された遊技盤と、前記遊技領域を流下する遊技球が入球可能であると共に遊技球が入球することに起因して遊技者に特典を付与する入賞部材とを備えた弾球遊技機において、前記入賞部材は該入賞部材の外側を形成する外面と該入賞部材の内側であって遊技球が所定方向に誘導される誘導領域を形成する内面とを有する樋形成部材を含み、前記誘導領域は、前記入賞部材に入球した遊技球を第一誘導方向に向けて誘導する第一誘導通路と、該第一誘導方向と略直角な方向である第二誘導方向に向けて遊技球を誘導する第二誘導通路と、前記第一誘導通路と前記第二誘導通路との間に形成されて該第一誘導通路を通過した遊技球を前記第一誘導方向及び前記第二誘導方向とは異なる第三誘導方向に向けて誘導した後に前記第二誘導通路に向けて誘導する遊技球誘導部とを備え、前記遊技球誘導部には前記誘導領域を通過する遊技球が当接すると共に前記入賞部材の内面の一部のみが前記第三誘導方向に傾斜するようにした遊技球当接面が設けられており、前記入賞部材の外面には凹凸形状の装飾部材が形成されると共に前記遊技球当接面と所定の厚みを隔てて設けられる装飾面が該装飾部材の凹部の少なくとも一部を形成することを特徴とする弾球遊技機に係る。
【０００７】
請求項２の発明は、請求項１において、前記第一誘導方向は、遊技球が前記遊技領域を流下する方向であることを特徴とする弾球遊技機に係る。
【０００８】
請求項３の発明は、請求項１又は２において、前記第三誘導方向は、前記第一誘導方向となす角度が該第一誘導方向と前記第二誘導方向とがなす角度よりも大きな鈍角をなす方向であることを特徴とする弾球遊技機に係る。
【０００９】
請求項４の発明は、請求項１ないし３のいずれか１項において、前記遊技球誘導部は、前記遊技球当接面と前記装飾面とが平行となるように前記所定の厚みを構成したことを特徴とする弾球遊技機に係る。
【００１０】
請求項５の発明は、請求項１ないし４のいずれか１項において、前記誘導領域には、前記遊技球誘導部の遊技球当接面とは異なる面と前記入賞部材の内面とによって構成されると共に前記誘導領域のうち遊技球が通過しない遊技球非通過領域が設けられ、該遊技球非通過領域には遊技球が当接することがない第二装飾部材が配設されたことを特徴とする弾球遊技機に係る。
【００１１】
請求項６の発明は、請求項５において、前記第二装飾部材は前記入賞部材の内面と連接する第一形成面と前記装飾部材の凹部の一部を形成する第二形成面とによって構成されており、該第二形成面と前記装飾面とが連接することを特徴とする弾球遊技機に係る。
【００１２】
請求項７の発明は、請求項１ないし６のいずれか１項において、前記装飾面の下方に少なくとも該装飾面を照射する発光部材を設けたことを特徴とする弾球遊技機に係る。
【００１３】
請求項８の発明は、請求項７において、前記発光部材は前記装飾面及び前記第二装飾部材を介して前記誘導領域を照射することを特徴とする弾球遊技機に係る。
【発明の効果】
【００１４】
請求項１の発明に係る弾球遊技機によれば、遊技球が流下可能な遊技領域が形成された遊技盤と、前記遊技領域を流下する遊技球が入球可能であると共に遊技球が入球することに起因して遊技者に特典を付与する入賞部材とを備えた弾球遊技機において、前記入賞部材は該入賞部材の外側を形成する外面と該入賞部材の内側であって遊技球が所定方向に誘導される誘導領域を形成する内面とを有する樋形成部材を含み、前記誘導領域は、前記入賞部材に入球した遊技球を第一誘導方向に向けて誘導する第一誘導通路と、該第一誘導方向と略直角な方向である第二誘導方向に向けて遊技球を誘導する第二誘導通路と、前記第一誘導通路と前記第二誘導通路との間に形成されて該第一誘導通路を通過した遊技球を前記第一誘導方向及び前記第二誘導方向とは異なる第三誘導方向に向けて誘導した後に前記第二誘導通路に向けて誘導する遊技球誘導部とを備え、前記遊技球誘導部には前記誘導領域を通過する遊技球が当接すると共に前記入賞部材の内面の一部のみが前記第三誘導方向に傾斜するようにした遊技球当接面が設けられており、前記入賞部材の外面には凹凸形状の装飾部材が形成されると共に前記遊技球当接面と所定の厚みを隔てて設けられる装飾面が該装飾部材の凹部の少なくとも一部を形成することから、入賞部材に入球した遊技球の進路を円滑に変更させ、入賞部材の形状等を効率よく成形することが可能である。
【００１５】
請求項２の発明は、請求項１において、前記第一誘導方向は遊技球が前記遊技領域を流下する方向であることから、遊技領域を流下した遊技球を、前記第一誘導通路に沿って円滑に誘導することができる。
【００１６】
請求項３の発明は、請求項１又は２において、前記第三誘導方向は、前記第一誘導方向となす角度が該第一誘導方向と前記第二誘導方向とがなす角度よりも大きな鈍角をなす方向であることから、遊技球の進路を、第一誘導方向から第二誘導方向へ円滑に変更することができる。
【００１７】
請求項４の発明は、請求項１ないし３のいずれか１項において、前記遊技球誘導部は、前記遊技球当接面と前記装飾面とが平行となるように前記所定の厚みを構成したことから、遊技球誘導部を容易に成形することができる。
【００１８】
請求項５の発明は、請求項１ないし４のいずれか１項において、前記誘導領域には、前記遊技球誘導部の遊技球当接面とは異なる面と前記入賞部材の内面とによって構成されると共に前記誘導領域のうち遊技球が通過しない遊技球非通過領域が設けられ、該遊技球非通過領域には遊技球が当接することがない第二装飾部材が配設されたことから、遊技球非通過領域を、第二装飾部材を配設して有効に利用することができる。
【００１９】
請求項６の発明は、請求項５において、前記第二装飾部材は前記入賞部材の内面と連接する第一形成面と前記装飾部材の凹部の一部を形成する第二形成面とによって構成されており、該第二形成面と前記装飾面とが連接することから、装飾を第二形成面と装飾面に施して、入賞部材の装飾性を高めることができる。
【００２０】
請求項７の発明は、請求項１ないし６のいずれか１項において、前記装飾面の下方に少なくとも該装飾面を照射する発光部材を設けたことから、少なくとも装飾面の装飾の効果を照射される光によって高めることができる。
【００２１】
請求項８の発明は、請求項７において、前記発光部材は前記装飾面及び前記第二装飾部材を介して前記誘導領域を照射することから、誘導領域の装飾性を、発光部材から照射される光によって高めることができる。
【発明を実施するための最良の形態】
【００２２】
以下添付の図面に基づきこの発明の好適な実施形態を説明する。図１はこの発明の一実施例に係る弾球遊技機全体の正面図、図２は同遊技機全体の裏面図、図３は始動入賞口の分解斜視図、図４は始動入賞口の要部縦断面図、図５は樋形成部材の全体斜視図、図６は図４の符号Ａ部分の拡大図、図７は始動入賞口の全体斜視図、図８は遊技球誘導部の配置図、図９は発光部材が設けられた始動入賞口の要部縦断面図、図１０は従来の始動入賞口の全体斜視図である。
【００２３】
実施例のパチンコ遊技機１は、図１に示すように、枠体２の内側に遊技球が打ち出される遊技盤３が着脱交換可能に収容されており、その遊技盤３に遊技球の外側誘導レール４及び内側誘導レール５が略円形に立設され、前記外側誘導レール４あるいは内側誘導レール５によって囲まれた遊技領域６の略中心線上に上部から下部に向かって順に液晶表示器（ＴＦＴ−ＬＣＤモジュール）等からなる画像表示部５０を有する表示装置９、普通電動役物である始動入賞口１１、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。前記種々の入賞口に遊技球が入球すると所定数の遊技球が賞品球として払い出される。この実施例の遊技領域６には流下する遊技球を誘導する遊技釘７が適宜設けられている。
【００２４】
前記枠体２には、遊技球払出口（図示せず）より払い出された遊技球を受ける遊技球供給皿（上側球受け皿とも称される）３６、前記遊技球供給皿３６の飽和時に遊技球を受けるための下側球受け皿３７、遊技状態を報知するランプ表示器３４，３５、音声や効果音を発して遊技状態を遊技者に報知するスピーカＳ、遊技者による発射レバー９２の操作に応じて遊技球を遊技盤３の遊技領域６に向けて発射する発射装置９１等がそれぞれ組み付けられている。また、前記遊技球供給皿３６の右側上面には、この遊技球供給皿３６の遊技球を球抜きして前記下側球受け皿３７へ移すための球返却ボタン３３が設けられている。
【００２５】
前記始動入賞口１１は、この発明の入賞部材に相当する。始動入賞口１１には、該始動入賞口１１に入球した遊技球を検出する特別図柄変動開始スイッチ６１（始動入賞口センサ）が設けられている。そして、前記特別図柄変動開始スイッチ６１によって入賞球が検出されると、前記表示装置９における画像表示部５０の各表示領域で特別図柄が変動を開始し、所定時間変動表示後、予め定められた順で特別図柄が変動停止して、停止図柄の組合せが確定表示されるようになっている。そして、前記確定表示された停止図柄の組合せが予め決められた特定の大当たり図柄組合せ、例えば、同一図柄の組合せからなる通称ぞろ目であると、大当たり状態（特別遊技状態）に移行する。大当たり状態は、遊技者に付与される特典であり、前記大入賞口１５の開閉板が開いて遊技領域６を流下してくる遊技球を受け止め、大入賞口１５内へ入賞可能にするものである。
【００２６】
前記特別図柄変動開始スイッチの他に、前記普通図柄変動開始用左ゲート１９及び普通図柄変動開始用右ゲート２１を通過する遊技球を検出する普通図柄変動開始スイッチ等がある。この普通図柄変動開始スイッチで両ゲート１９，２１を通過する遊技球を検出することによって、前記画像表示部５０の下方左隅に設けた普通図柄表示部５０Ａでの図柄変動を開始させるようになっている。そして、前記普通図柄表示部５０Ａにおいて図柄変動した後に確定表示された図柄が予め設定されている特定の図柄であった場合には、小当たり（普通図柄当たり）となり、前記始動入賞口１１の拡開開放を所定時間行うようになっている。
【００２７】
前記発射装置９１は、操作ハンドル９２と、該操作ハンドル９２の操作により駆動する発射モータと、該発射モータの駆動により間欠的に揺動して遊技球を弾発発射する打球杆とを有している。前記発射装置９１により発射された遊技球は、前記遊技盤３に立設された外側誘導レール４と内側誘導レール５間で構成される発射球誘導路１０を介して遊技領域６に誘導されるようになっている。前記発射球誘導路１０により遊技領域６に誘導された遊技球は、転動しつつ流下し、前記各入賞口に入球するか、あるいは何処にも入球しなければ前記アウト口１７から遊技盤３の裏側へ排出されるように構成される。
【００２８】
さらに、このパチンコ遊技機１にはカードユニット１５１が設けられており、貸球情報が記録されたプリペードカードをカードユニット１５１のカード挿入口Ｕに挿入すると、該プリペードカードに記録されている貸出可能度数が球貸し操作部４５の度数表示部に表示され、遊技者が該球貸し操作部４５の球貸ボタンを操作することにより所定数の貸球が前記遊技球供給皿３６に払い出され、遊技者が遊技を中止したいときには、前記球貸し操作部４５のカード返却ボタンを操作することによりプリペードカードがカード挿入口Ｕから排出されるようになっている。
【００２９】
このパチンコ遊技機１は、図２に示すように、裏機構を備えている。図中の符号１０１は遊技球を貯留する貯留タンク、１０２はタンクレール、１０４は枠用外部出力端子基板、１０５はランプ中継基板、１０６は受電基板、１０７は賞球センサ中継基板、１１０は盤面用外部出力端子基板、１１１は中継基板、１１２は音声制御基板、１１３はＦＧ中継基板、１１４は電源基板、１１５はランプ制御基板、１１８は払出制御基板、１１９は発射装置制御基板、１２１は主制御基板、１２２はカードインターフェイス接続部、１２３，１２４は電源プラグ、１６１は図柄制御基板、Ｇは接地線である。
【００３０】
この実施例では、図３に示すように、前記始動入賞口１１が、樋形成部材５０と、可動片１１ａ，１１ｂと、台板６０と、特別図柄変動開始スイッチ６１と、特別図柄変動開始スイッチ収容ボックス６２と、始動入賞口開放用ソレノイド６３等によって構成される。
【００３１】
台板６０は、樋形成部材５０が軸部材６４によって可動片１１ａ，１１ｂを支えて遊技盤３に固定される。始動入賞口１１は、図３及び図４から理解できるように、樋形成部材５０と可動片１１ａ，１１ｂと台板６０とによって形成された入球口１１Ｃを有する。
【００３２】
樋形成部材５０は、図４及び図５に示すように、外面５１と内面５２を有する。外面５１は始動入賞口１１の外側を形成する。内面５２は、始動入賞口１１の内側であって遊技球が所定方向に誘導される誘導領域５３を形成する。この樋形成部材５０は、内面５２と外面５１とが一体に形成された一つの部材により構成されている。これによって、内面５２と外面５１を一つの部材によって形成し、樋形成部材５０を容易に成形することできる。樋形成部材５０は、この実施例のように一つの厚肉部材によって構成されたものに限らず、内面と外面をそれぞれ別の部材として構成してもよい。
【００３３】
誘導領域５３は、図示するように、第一誘導通路５４と、第二誘導通路５５と、遊技球誘導部５６とを備えている。遊技球の進路は、始動入賞口１１に入球した後に両誘導通路５４，５５と遊技球誘導部５６によって円滑に変更される。第一及び第二誘導通路５４，５５と遊技球誘導部５６は、これらの通路幅を遊技球が１球のみ通過することができるようにしている。これによって、大当たり状態に移行するか否かの判定に関わる特別図柄変動開始スイッチ６１が遊技球の通過を１球ずつ正確に検知することができる。
【００３４】
第一誘導通路５４は、始動入賞口１１に入球した遊技球Ｐを第一誘導方向Ｙに向けて誘導する。この第一誘導方向Ｙは、遊技球が前記遊技領域６を流下する方向である。遊技球Ｐは、遊技領域６を流下した後に入球口１１Ｃを通過して始動入賞口１１に入球する。この遊技球Ｐは、始動入賞口１１に入球した後に第一誘導通路５４に沿って円滑に誘導される。
【００３５】
第二誘導通路５５は、遊技球Ｐを第二誘導方向Ｘに向けて誘導する。この第二誘導方向Ｘは第一誘導方向Ｙと略直角な方向である。なお、第二誘導方向Ｘは、第一誘導方向Ｙと直角な方向であってもよいし、直角よりも大きな鈍角であってもよい。これにより、遊技球Ｐは、円滑に第二誘導路５５を流下し、特別図柄変動開始スイッチ６１を通過することが可能である。
【００３６】
遊技球誘導部５６は、第一誘導通路５４と第二誘導通路５５との間に形成される。ここでは、遊技球誘導部５６が、図示した遊技球進路変更部材５６Ａによって構成される。この遊技球進路変更部材５６Ａは、前記第一誘導通路５４を通過した遊技球Ｐ１を、第三誘導方向Ｚに向けて誘導した後に第二誘導方向Ｘに向けて誘導する。
【００３７】
遊技球進路変更部材５６Ａは、第一誘導通路５４を通過した遊技球Ｐ１を、誘導領域５３に詰まらせることなく第二誘導通路５５に円滑に誘導する。始動入賞口１１は、遊技球が入球することに起因して遊技者に特典を付与するものである。この始動入賞口１１での球詰まり等が生じると、遊技者に特典が付与されない等のおそれが生じ、遊技者に不利な状況が生じるおそれがある。そこで、この始動入賞口１１が遊技球進路変更部材５６Ａを備えることにより、遊技球が誘導領域５３に詰まることを防ぎ、特典を遊技者に正しく付与することができる。
【００３８】
第三誘導方向Ｚは、図示するように、第一誘導方向Ｙ及び第二誘導方向Ｘとは異なる方向である。この第三誘導方向Ｚは、第一誘導方向Ｙとなす角度が該第一誘導方向Ｙと第二誘導方向Ｘとがなす角度よりも大きな鈍角をなす方向である。遊技球Ｐ１は、図４中の矢印で示されるように、遊技球進路変更部材５６Ａによって第一誘導方向Ｙから第二誘導方向Ｘへ円滑に誘導される。
【００３９】
遊技球進路変更部材５６Ａは、図５及び図６に示すように、遊技球当接面５７が設けられている。遊技球当接面５７は、誘導領域５３を通過する遊技球が当接すると共に前記始動入賞口１１の内面５２の一部のみが前記第三誘導方向Ｚに傾斜するようにして形成されている。遊技球Ｐ１は、図４及び図６に示すように、第一誘導通路５４を通過した後に遊技球当接面５７に当接する。
【００４０】
実施例の遊技球当接面５７は、図示するように、円弧状に形成されている。これにより、遊技球Ｐの進路を、第一誘導通路５４から第二誘導通路５５に円滑に変更することが可能である。ただし、遊技球当接面は、円弧状に限らず、直線状にしてもよい。これによって、遊技球当接面を円弧状のものに比べて容易に成形することができる。
【００４１】
始動入賞口１１は、図４及び図７に示すように、凹凸状の装飾部材５８が外面５１に形成されている。ここでは、装飾部材５８が花の形に成形されている。従来の始動入賞口１１Ｄは、図１０に示すように、外面５１Ｄが平坦であり装飾性に欠けていた。外面５１Ｄは、始動入賞口１１Ｄが小さい装置であることから、装飾を施すことに限界があった。しかし、近年は、装飾を各種の入賞口等にも施してパチンコ遊技球の装飾性を高めることが求められている。実施例は、花の形（凹凸状）の装飾を始動入賞口１１にも施してパチンコ遊技機１の装飾性が高められている。
【００４２】
図５に示すように、実施例の樋形成部材５０は、前記装飾部材５８と外面５１とが一体に形成されている。これによって、樋形成部材５０の装飾を、外面５１を利用して容易に行うことができる。この装飾部材５８は、実施例のように外面５１に形成した凹凸形状によるものに限らず、外面５１とは別個に成形した凹凸状の部材としてもよい。
【００４３】
この装飾部材５８は、図８あるいは図９に示すように、少なくとも一部が装飾面５９によって形成される。装飾面５９は、図示するように、遊技球当接面５７と所定の厚みｔを隔てて設けられている。この装飾面５９が装飾部材５８の一部を構成することにより、遊技球が通過することがない始動入賞口１１の保有空間の一部を装飾性を高めることに利用することができる。
【００４４】
図８あるいは図９に示すように、遊技球進路変更部材５６Ａは、所定の厚みｔを、遊技球当接面５７と装飾面５９とが平行となるように設けた。これによって、遊技球進路変更部材５６Ａを容易に成形することができる。
【００４５】
図５から理解できるように、遊技球非通過領域５３Ｎが誘導領域５３に設けられている。遊技球非通過領域５３Ｎは、遊技球当接面５７とは異なる面と始動入賞口１１の内面５２とによって構成されると共に遊技球が通過しない領域である。この遊技球非通過領域５３Ｎは第二装飾部材５８Ａを配設している。これによって、遊技球が通過しない領域を、第二装飾部材５８Ａを配設して有効に利用することができる。実施例の第二装飾部材５８Ａは、楕円形の突状装飾部５８Ｂを有する三角形状の部材である。符号５２Ａは、樋形成部材５０を前記台板６１に螺着するビスの挿入部である。
【００４６】
第二装飾部材５８Ａは、図５及び図６に示すように、第一形成面５８Ｃと第二形成面５８Ｄとによって構成される。
【００４７】
第一形成面５８Ｃは、図示するように、内面５２と連接する。この第一形成面５８Ｃには遊技球が当接しないように装飾が施されている（この実施例では、突状装飾部５８Ｄが設けられている。）。これによって、遊技球の進路を遮らず、装飾を施すことができる。
【００４８】
第二形成面５８Ｄは、図４ないし図６から理解できるように、装飾部材５８の凹部の一部を構成する。この第二形成面５８Ｄは、図４，６及び図８から理解できるように、装飾面５９と連接している。始動入賞口１１は、装飾を第二形成面５８Ｄと装飾面５９に施すことにより、装飾性が高められている。
【００４９】
図９に示す始動入賞口１１は、発光部材７０が装飾面５９の下方に設けられて少なくとも該装飾面５９を照射するものである。ここでは、発光部材７０が公知のＬＥＤによって構成される。これによって、装飾の効果が、装飾部材５８の花の形に加えて照射される光によって高まる。符号７１はＬＥＤ基板、７２は電気配線である。
【００５０】
この実施例では、ＬＥＤ７０が、装飾面５９及び第二装飾部材５８Ａを介して前記誘導領域５３を照射する。ここでは、図示するように、複数の貫通孔７３を装飾面５９に設けた。これらの貫通孔７３は、ＬＥＤ７０が発する光が通過する位置に適宜設けられる。ＬＥＤ７０が発する光は、誘導領域５３に配設された第二装飾部材５８Ａの装飾性を高めることができる。ＬＥＤ７０は、第二装飾部材５８Ａに設けた貫通孔を通して光を照射することにより、誘導領域５３の装飾性を高めることもできる。さらに、装飾部材５８が光を透過する部材で構成されると、ＬＥＤ７０が光を照射することにより、遊技球の動きを見せることができる。なお、図９中のＬＥＤ７０、ＬＥＤ基板７１、電気配線７２、貫通孔７３及びこれらを収容する空間を削除したものが、前実施例（図４）の遊技球誘導部５６周辺の断面図に相当する。
【００５１】
このパチンコ遊技機１は、遊技球が通過したことを検出する検出手段と、該検出手段によって遊技球の通過が検出されたことに起因して遊技者に特典を付与する特典付与手段とを備えており、前記検出手段を、遊技球が前記誘導領域５３の遊技球誘導部５６を越えて通過する位置に設けている。実施例では、検出手段を前記特別図柄変動開始スイッチ６１（図３参照。）、特典付与手段を前記主制御基板１２１（図２参照。）とした。
【００５２】
この実施例では、図４に示すように、特別図柄変動開始スイッチ６１を、遊技球Ｐ等が遊技球進路変更部材５６Ａを越えて通過する位置に設けている。これによって、特別図柄変動開始スイッチ６１は、遊技球Ｐ等が誘導領域５３を通過したことを確実に検出することができる。
【００５３】
本発明は、実施例に限定されるものではなく、発明の趣旨を逸脱しない範囲内において構成の一部を適宜変更して実施することができる。本発明は、実施例に示した始動入賞口のみではなく、各種の入賞口やゲート等に適用することができる。
【００５４】
実施例では第二装飾部材５８Ａを誘導領域５３に配設しているが、装飾を誘導領域５３のうち遊技球非通過領域５３Ｎに直接施してもよい。これによって、装飾を始動入賞口１１の内面に直接施すことができ、始動入賞口１１の装飾性を高めて趣向性が向上する。
【００５５】
従来は、入賞部材の誘導領域を形成する内面のうち遊技球誘導部の形状が、遊技球誘導部に対する外面の装飾部材の形状に利用されていなかった。これにより、入賞部材の形状を成形するときに、例えば、遊技球の進路を円滑に変更することが可能な遊技球誘導部の設計がし難いこと、装飾部材全体の設計がし難い等の問題が生じるおそれがあった。また、遊技球誘導部を誘導領域内に設けることにより、遊技球が通過することがない空間が誘導領域内に生じることがあり、誘導領域を効率よく利用しているとは言い難かった。しかしながら、本発明は、遊技球誘導部のうち特に遊技球当接面の形状と装飾部材のうち装飾面の少なくとも一部（装飾面すべてでもよい）の形状とが所定の厚み（平行）となるようにすることにより、遊技球の進路を円滑に変更することが可能な遊技球誘導部を設計し易くなり、装飾部材全体の設計がし易い等として入賞部材の形状を効率よく成形することが可能なものである。さらに、誘導領域内には遊技球が通過することがない空間（遊技球非通過領域）に遊技球が当接しないように第二装飾部材を配設することにより、誘導領域をより有効に利用することが可能である。
【図面の簡単な説明】
【００５６】
【図１】この発明の一実施例に係る弾球遊技機全体の正面図である。
【図２】同遊技機全体の裏面図である。
【図３】始動入賞口の分解斜視図である。
【図４】始動入賞口の要部縦断面図である。
【図５】樋形成部材の全体斜視図である。
【図６】図４の符号Ａ部分の拡大図である。
【図７】始動入賞口の全体斜視図である。
【図８】遊技球誘導部の説明図である。
【図９】発光部材が設けられた始動入賞口の要部縦断面図である。
【図１０】従来の始動入賞口の全体斜視図である。
【符号の説明】
【００５７】
１  弾球遊技機
３  遊技盤
６  遊技領域
１１  始動入賞口
５０  樋形成部材
５１  外面
５２  内面
５３  誘導領域
５３Ｎ  遊技球非通過領域
５４  第一誘導通路
５５  第二誘導通路
５６  遊技球誘導部
５７  遊技球当接面
５８  装飾部材
５８Ａ  第二装飾部材
５８Ｃ  第一形成面
５８Ｄ  第二形成面
５９  装飾面
７０  発光部材
Ｐ，Ｐ１  遊技球
ｔ  所定の厚み
Ｘ  第二誘導方向
Ｙ  第一誘導方向
Ｚ  第三誘導方向
【図１】
2006061342.tif 000003
【図２】
2006061342.tif 000004
【図３】
2006061342.tif 000005
【図４】
2006061342.tif 000006
【図５】
2006061342.tif 000007
【図６】
2006061342.tif 000008
【図７】
2006061342.tif 000009
【図８】
2006061342.tif 000010
【図９】
2006061342.tif 000011
【図１０】
2006061342.tif 000012